【手続補正書】
【提出日】平成20年6月20日(2008.6.20)
【手続補正１】
【補正対象書類名】明細書
【補正対象項目名】特許請求の範囲
【補正方法】変更
【補正の内容】
【特許請求の範囲】
【請求項１】  医療機器であって、該医療機器は、以下：
近位ハンドル；
鞘であって、該鞘は、該ハンドルから伸長しており、管腔を含み、そして該ハンドルから離れた遠位末端を含む、鞘；および
回収アセンブリであって、該回収アセンブリは、複数のレッグを含み、該レッグのうちの少なくとも１つが、近位部分および遠位部分、ならびに該近位部分と該遠位部分とを連結する接合部を含み、該近位部分は、第一材料を含有し、該遠位部分は、該第一材料とは異なる第二材料を含有し、該回収アセンブリおよび該鞘は、該回収アセンブリの崩壊位置および該回収アセンブリの他の位置にするために、互いに対して移動可能であり、該崩壊位置では、該回収アセンブリは、該鞘の該管腔内にあり、そして該他の位置では、該回収アセンブリの少なくとも一部は、該鞘の該遠位末端から伸長しており、そして該鞘の該管腔外で三次元形状を呈する、回収アセンブリ、
を備える、医療機器。
【請求項２】  前記接合部が、ループを含む、請求項１に記載の医療機器。
【請求項３】  前記接合部が、フックを含む、請求項１に記載の医療機器。
【請求項４】  前記接合部が、クリンプを含む、請求項１に記載の医療機器。
【請求項５】  医療機器であって、該医療機器は、以下：
近位ハンドル；
鞘であって、該鞘は、該ハンドルから伸長しており、管腔を含み、そして該ハンドルから離れた遠位末端を含む、鞘；および
回収アセンブリであって、該回収アセンブリは、近位部分および遠位部分を含み、該近位部分は、第一材料を含有し、該遠位部分は、第二材料を含有し、該第二材料は、該第一材料よりも可撓性であり、該回収アセンブリおよび該鞘は、該回収アセンブリの崩壊位置および該回収アセンブリの他の位置にするために、互いに対して移動可能であり、該崩壊位置では、該回収アセンブリは、該鞘の該管腔内にあり、そして該他の位置では、該回収アセンブリの少なくとも一部は、該鞘の該遠位末端から伸長しており、そして該鞘の該管腔外で三次元形状を呈する、回収アセンブリ、
を備える、医療機器。
【請求項６】  前記鞘が移動可能である、請求項５に記載の医療機器。
【請求項７】  さらに、細長部材を含み、該細長部材が、前記鞘に対して前記回収アセンブリを移動させるために、該回収アセンブリの近位末端に作動可能に装着されている、請求項５に記載の医療機器。
【請求項８】  前記回収アセンブリが、さらに、複数のレッグを含む、請求項５に記載の医療機器。
【請求項９】  前記回収アセンブリが、４本のレッグを含む、請求項８に記載の医療機器。
【請求項１０】  前記レッグの前記近位部分が、第一材料を含み、そして該レッグの前記遠位部分が、第二材料を含む、請求項８に記載の医療機器。
【請求項１１】  前記第二材料が、前記第一材料よりも可撓性である、請求項１０に記載の医療機器。
【請求項１２】  前記レッグが、さらに、近位部分および遠位部分を含む、請求項８に記載の医療機器。
【請求項１３】  前記レッグが、前記レッグの前記近位部分と前記遠位部分とを連結する接合部を含む、請求項１２に記載の医療機器。
【請求項１４】  前記接合部が、ループを含む、請求項１３に記載の医療機器。
【請求項１５】  前記接合部が、フックを含む、請求項１３に記載の医療機器。
【請求項１６】  前記接合部が、クリンプを含む、請求項１３に記載の医療機器。
【請求項１７】  前記回収アセンブリの前記近位部分が、レッグを含み、ここで、該近位レッグ部分が、直線状であり、そして前記遠位レッグ部分が、球根状である、請求項１２に記載の医療機器。
【請求項１８】  前記近位レッグ部分が、球根状であり、そして前記遠位レッグ部分が、球根状である、請求項１２に記載の医療機器。
【請求項１９】  医療機器であって、該医療機器は、以下：
近位ハンドル；
鞘であって、該鞘は、該ハンドルから伸長しており、管腔を含み、そして該ハンドルから離れた遠位末端を含む、鞘；および
回収アセンブリであって、該回収アセンブリは、複数のレッグを含み、該レッグのうちの少なくとも１つが、近位部分および遠位部分を含み、該近位部分は、第一材料を含有し、該遠位部分は、該第一材料とは異なる第二材料を含有し、該回収アセンブリおよび該鞘は、該回収アセンブリの崩壊位置および該回収アセンブリの他の位置にするために、互いに対して移動可能であり、該崩壊位置では、該回収アセンブリは、該鞘の該管腔内にあり、そして該他の位置では、該回収アセンブリの少なくとも一部は、該鞘の該遠位末端から伸長しており、そして該鞘の該管腔外で三次元形状を呈する、回収アセンブリ、
を備える、医療機器。
【請求項２０】  前記第二材料が、前記第一材料よりも可撓性である、請求項１９に記載の医療機器。
【請求項２１】  医療機器であって、該医療機器は、以下：
近位ハンドル；
鞘であって、該鞘は、該ハンドルから伸長しており、管腔を含み、そして該ハンドルから離れた遠位末端を含む、鞘；および
回収アセンブリであって、該回収アセンブリは、近位部分および遠位部分、ならびに複数のレッグを含み、該近位部分は、第一材料を含有し、該遠位部分は、該第一材料とは異なる第二材料を含有し、該レッグのうちの１つは、近位部分および遠位部分を含み、該近位レッグ部分が、直線状であり、そして該遠位レッグ部分が、球根状であり、該回収アセンブリおよび該鞘は、該回収アセンブリの崩壊位置および該回収アセンブリの他の位置にするために、互いに対して移動可能であり、該崩壊位置では、該回収アセンブリは、該鞘の該管腔内にあり、そして該他の位置では、該回収アセンブリの少なくとも一部は、該鞘の該遠位末端から伸長しており、そして該鞘の該管腔外で三次元形状を呈する、回収アセンブリ、
を備える、医療機器。
【請求項２２】  医療機器であって、該医療機器は、以下：
近位ハンドル；
鞘であって、該鞘は、該ハンドルから伸長しており、管腔を含み、そして該ハンドルから離れた遠位末端を含む、鞘；および
回収アセンブリであって、該回収アセンブリは、近位部分および遠位部分、ならびに複数のレッグを含み、該近位部分は、第一材料を含有し、該遠位部分は、該第一材料とは異なる第二材料を含有し、該レッグのうちの１つは、近位部分および遠位部分を含み、該近位レッグ部分が、球根状であり、そして該遠位レッグ部分が、球根状であり、該回収アセンブリおよび該鞘は、該回収アセンブリの崩壊位置および該回収アセンブリの他の位置にするために、互いに対して移動可能であり、該崩壊位置では、該回収アセンブリは、該鞘の該管腔内にあり、そして該他の位置では、該回収アセンブリの少なくとも一部は、該鞘の該遠位末端から伸長しており、そして該鞘の該管腔外で三次元形状を呈する、回収アセンブリ、
を備える、医療機器。
【請求項２３】  医療回収装置であって、該医療回収装置は、以下：
近位ハンドル；
鞘であって、該鞘は、該ハンドルから伸長しており、管腔を含み、そして該ハンドルから離れた遠位末端を含む、鞘；および
回収アセンブリであって、該回収アセンブリは、該管腔内での該回収アセンブリの崩壊位置にするように、該鞘に対して移動可能であり、該回収アセンブリは、近位部分および遠位部分を含み、該近位部分は、遠位末端、複数のストランド、および該回収アセンブリの少なくとも一部が該鞘の遠位末端から該管腔の外へと伸長する場合の三次元形状を含み、該遠位部分は、該近位部分の遠位末端に位置し、そして複数のワイヤを含み、各ワイヤは、少なくとも２つのストランドの遠位末端に連結されており、該回収アセンブリの近位部分が該鞘の遠位末端の外に伸長する場合に、該遠位部分は、該回収装置の長軸に対して垂直に伸長し、各ストランドは、第一剛性を有し、そして各ワイヤは、該第一剛性とは異なる第二剛性を有する、回収アセンブリ、
を備える、医療回収装置。
【請求項２４】  各ストランドがステンレス鋼を含有する、請求項２３に記載の医療回収装置。
【請求項２５】  前記近位部分が剛性材料を含有し、そして前記遠位部分が可撓性材料を含有する、請求項２３に記載の医療回収装置。
【請求項２６】  前記複数のワイヤのうちの少なくとも１つが可撓性である、請求項２３に記載の医療回収装置。
【請求項２７】  前記近位部分が前記三次元形状を呈する場合に、前記複数のストランドの遠位末端が正方形の領域を規定する、請求項２３に記載の医療回収装置。
【請求項２８】  ガイドワイヤをさらに備え、該ガイドワイヤの近位方向への軸方向の動きが、前記回収アセンブリの遠位部分を崩壊させる、請求項２３に記載の医療回収装置。
【請求項２９】  前記ガイドワイヤが前記回収アセンブリの遠位部分の中心部分に連結されている、請求項２８に記載の医療回収装置。
【請求項３０】  第二ガイドワイヤをさらに備える、請求項２８に記載の医療回収装置。
【請求項３１】  前記近位部分が前記三次元形状を呈する場合に、前記複数のストランドの遠位末端が、実質的に円形の領域を規定する、請求項２３に記載の医療回収装置。
【請求項３２】  前記鞘を遠位方向に移動させることにより、前記回収アセンブリが前記管腔に入る際に該回収アセンブリが崩壊する、請求項２３に記載の医療回収装置。
【請求項３３】  医療回収装置であって、該医療回収装置は、以下：
近位ハンドル；
鞘であって、該鞘は、該ハンドルから伸長しており、管腔を含み、そして該ハンドルから離れた遠位末端を含む、鞘；および
回収アセンブリであって、該回収アセンブリは、該管腔内での該回収アセンブリの崩壊位置にするように、該鞘に対して移動可能であり、該回収アセンブリは、近位部分および遠位部分を含み、該近位部分は、剛性材料、遠位末端、複数のストランド、および該回収アセンブリの少なくとも一部が該鞘の遠位末端から該管腔の外へと伸長する場合の三次元形状を含み、該遠位部分は、該近位部分の遠位末端に位置し、可撓性材料を含み、そして複数のワイヤを含み、各ワイヤは、少なくとも２つのストランドの遠位末端に連結されており、該回収アセンブリの近位部分が該鞘の遠位末端の外に伸長する場合に、該遠位部分は、該回収装置の長軸に対して垂直に伸長する、回収アセンブリ、
を備える、医療回収装置。
【請求項３４】  各ストランドがステンレス鋼を含有する、請求項３３に記載の医療回収装置。
【請求項３５】  前記近位部分が前記三次元形状を呈する場合に、前記複数のストランドの遠位末端が正方形の領域を規定する、請求項３３に記載の医療回収装置。
【請求項３６】  ガイドワイヤをさらに備え、該ガイドワイヤの近位方向への軸方向の動きが、前記回収アセンブリの遠位部分を崩壊させる、請求項３３に記載の医療回収装置。
【請求項３７】  前記ガイドワイヤが前記回収アセンブリの遠位部分の中心部分に連結されている、請求項３６に記載の医療回収装置。
【請求項３８】  第二ガイドワイヤをさらに備える、請求項３６に記載の医療回収装置。
【請求項３９】  前記鞘を遠位方向に移動させることにより、前記回収アセンブリが前記管腔に入る際に該回収アセンブリが崩壊する、請求項３３に記載の医療回収装置。
【請求項４０】  前記近位部分が前記三次元形状を呈する場合に、前記複数のストランドの遠位末端が、実質的に円形の領域を規定する、請求項３３に記載の医療回収装置。
【請求項４１】  医療回収装置であって、該医療回収装置は、以下：
近位ハンドル；
鞘であって、該鞘は、該ハンドルから伸長しており、管腔を含み、そして該ハンドルから離れた遠位末端を含む、鞘；および
回収アセンブリであって、該回収アセンブリは、該管腔内での該回収アセンブリの崩壊位置にするように、該鞘に対して移動可能であり、該回収アセンブリは、近位部分および遠位部分を含み、該近位部分は、遠位末端、複数のストランド、および該回収アセンブリの少なくとも一部が該鞘の遠位末端から該管腔の外へと伸長する場合の三次元形状を含み、該遠位部分は、該近位部分の遠位末端に位置し、そして複数のワイヤを含み、各ワイヤは、少なくとも２つのストランドの遠位末端に連結されており、該回収アセンブリの近位部分が該鞘の遠位末端の外に伸長する場合に、該遠位部分は、該回収装置の長軸に対して垂直に伸長する、回収アセンブリ、
を備え、
該近位部分が該三次元形状を呈する場合に、該複数のストランドの遠位末端が正方形の領域を規定する、医療回収装置。
【請求項４２】  各ストランドがステンレス鋼を含有する、請求項４１に記載の医療回収装置。
【請求項４３】  前記複数のワイヤのうちの少なくとも１つが可撓性である、請求項４１に記載の医療回収装置。
【請求項４４】  ガイドワイヤをさらに備え、該ガイドワイヤの近位方向への軸方向の動きが、前記回収アセンブリの遠位部分を崩壊させる、請求項４１に記載の医療回収装置。
【請求項４５】  前記ガイドワイヤが前記回収アセンブリの遠位部分の中心部分に連結されている、請求項４４に記載の医療回収装置。
【請求項４６】  第二ガイドワイヤをさらに備える、請求項４４に記載の医療回収装置。
【請求項４７】  前記鞘を遠位方向に移動させることにより、前記回収アセンブリが前記管腔に入る際に該回収アセンブリが崩壊する、請求項４１に記載の医療回収装置。
【請求項４８】  医療回収装置であって、該医療回収装置は、以下：
近位ハンドル；
鞘であって、該鞘は、該ハンドルから伸長しており、管腔を含み、そして該ハンドルから離れた遠位末端を含む、鞘；
回収アセンブリであって、該回収アセンブリは、該管腔内での該回収アセンブリの崩壊位置にするように、該鞘に対して移動可能であり、該回収アセンブリは、近位部分および遠位部分を含み、該近位部分は、遠位末端、複数のストランド、および該回収アセンブリの少なくとも一部が該鞘の遠位末端から該管腔の外へと伸長する場合の三次元形状を含み、該遠位部分は、該近位部分の遠位末端に位置し、そして複数のワイヤを含み、各ワイヤは、少なくとも２つのストランドの遠位末端に連結されており、該回収アセンブリの近位部分が該鞘の遠位末端の外に伸長する場合に、該遠位部分は、該回収装置の長軸に対して垂直に伸長する、回収アセンブリ、ならびに
ガイドワイヤであって、該ガイドワイヤの近位方向への軸方向の動きが、該回収アセンブリの遠位部分を崩壊させる、ガイドワイヤ、
を備える、医療回収装置。
【請求項４９】  各ストランドがステンレス鋼を含有する、請求項４８に記載の医療回収装置。
【請求項５０】  前記複数のワイヤのうちの少なくとも１つが可撓性である、請求項４８に記載の医療回収装置。
【請求項５１】  前記近位部分が前記三次元形状を呈する場合に、前記複数のストランドの遠位末端が正方形の領域を規定する、請求項４８に記載の医療回収装置。
【請求項５２】  前記ガイドワイヤが前記回収アセンブリの遠位部分の中心部分に連結されている、請求項４８に記載の医療回収装置。
【請求項５３】  前記鞘を遠位方向に移動させることにより、前記回収アセンブリが前記管腔に入る際に該回収アセンブリが崩壊する、請求項４８に記載の医療回収装置。
【請求項５４】  前記近位部分が前記三次元形状を呈する場合に、前記複数のストランドの遠位末端が実質的に円形の領域を規定する、請求項４８に記載の医療回収装置。
【請求項５５】  第二ガイドワイヤをさらに備える、請求項４８に記載の医療回収装置。
【請求項５６】  医療機器であって、該医療機器は、以下：
近位ハンドル；
鞘であって、該鞘は、該ハンドルから伸長しており、管腔を含み、そして該ハンドルから離れた遠位末端を含む、鞘；
回収アセンブリであって、該回収アセンブリは、該管腔内での該回収アセンブリの崩壊位置にするように、該鞘に対して移動可能であり、該回収アセンブリは、第一剛性を有する複数のストランドを備える近位部分、および第二剛性を有する少なくとも１つのワイヤを備える遠位部分を含み、該少なくとも１つのワイヤは、１つのストランドの遠位末端から他のストランドの遠位末端へと伸長する単一の連続ワイヤであり、該回収アセンブリの遠位部分は、ポケットを形成し、そして該回収アセンブリの遠位末端に位置する頂点を備える、回収アセンブリ；ならびに
細長部材であって、該細長部材の少なくとも一部分が、一緒に編組されたストランドの伸長部から形成されている、細長部材、
を備える、医療機器。
【請求項５７】  前記回収アセンブリの近位部分が、第一材料を含有し、そして前記回収アセンブリの遠位部分が、該第一材料とは異なる第二材料を含有する、請求項５６に記載の医療機器。
【請求項５８】  前記第二材料が前記第一材料よりも可撓性である、請求項５７に記載の医療機器。
【請求項５９】  医療機器であって、
近位ハンドル；
鞘であって、該鞘は、該ハンドルから伸長しており、管腔を含み、そして該ハンドルから離れた遠位末端を含む、鞘；
回収アセンブリであって、該回収アセンブリは、該管腔内での該回収アセンブリの崩壊位置にするように、該鞘に対して移動可能であり、該回収アセンブリは、複数のストランドを備える近位部分、および複数のフィラメントを備える遠位部分を含み、該複数のフィラメントのうちの少なくとも１つは、１つのストランドの遠位末端から他のストランドの遠位末端へと伸長する単一の連続ワイヤであり、該ストランドは、第一材料を含有し、そして該フィラメントは、該第一材料とは異なる第二材料を含有し、そして該回収アセンブリの遠位部分は、ポケットを形成し、そして該回収アセンブリの遠位末端に位置する頂点を備える、回収アセンブリ；ならびに
細長部材であって、該細長部材の少なくとも一部分が、一緒に編組されたストランドの伸長部から形成されている、細長部材、
を備える、医療機器。
【請求項６０】  前記細長部材の近位方向への軸方向の動きが、前記回収アセンブリの遠位部分を崩壊させる、請求項５９に記載の医療機器。
【請求項６１】  前記鞘の遠位方向への動きが、前記回収アセンブリが前記管腔に入る際に該回収アセンブリを崩壊させる、請求項５９に記載の医療機器。
【請求項６２】  前記第一材料が第一剛性を有し、そして前記第二材料が、該第一剛性とは異なる第二剛性を有する、請求項５９に記載の医療機器。
【請求項６３】  前記第二材料が前記第一材料よりも可撓性である、請求項６２に記載の医療機器。
【請求項６４】  前記近位部分の複数のストランドが、互いに対して実質的に平行に伸長している、請求項５９に記載の医療機器。
【請求項６５】  前記近位部分の複数のストランドが捻られている、請求項５９に記載の医療機器。
【請求項６６】  前記フィラメントがワイヤから作製されている、請求項５９に記載の医療機器。
【請求項６７】  前記ワイヤが２つのフィラメントを作製するために使用されている、請求項６６に記載の医療機器。
【請求項６８】  前記ワイヤが３つのフィラメントを作製するために使用されている、請求項６６に記載の医療機器。
【請求項６９】  前記ワイヤが４つのフィラメントを作製するために使用されている、請求項６６に記載の医療機器。
【請求項７０】  医療機器であって、
近位ハンドル；
鞘であって、該鞘は、該ハンドルから伸長しており、管腔を含み、そして該ハンドルから離れた遠位末端を含む、鞘；
回収アセンブリであって、該回収アセンブリは、該管腔内での該回収アセンブリの崩壊位置にするように、該鞘に対して移動可能であり、該回収アセンブリは、遠位部分、および該遠位部分の近位の複数のレッグを含み、該複数のレッグは、第一剛性を有する第一材料を含有し、該遠位部分は、該複数のレッグのうちの１つの遠位末端から該複数のレッグのうちの他のものの遠位末端へと伸長する少なくとも１つの単一の連続ワイヤを含み、該ワイヤは、該第一剛性とは異なる第二剛性を有する第二材料を含有し、そして該回収アセンブリの遠位部分は、ポケットを形成し、そして該回収アセンブリの遠位末端に位置する頂点を備える、回収アセンブリ；ならびに
細長部材であって、該細長部材の少なくとも一部分が、一緒に編組されたレッグの伸長部から形成されている、細長部材、
を備える、医療機器。
【請求項７１】  前記第二材料が前記第一材料よりも可撓性である、請求項７０に記載の医療機器。
【請求項７２】  前記近位部分が剛性材料を含有し、そして前記遠位部分が可撓性材料を含有する、請求項７０に記載の医療機器。
【請求項７３】  前記遠位部分が複数のワイヤを備える、請求項７０に記載の医療機器。
【請求項７４】  前記複数のワイヤの各々が、前記複数のレッグのうちの１つの遠位末端から該複数のレッグのうちの他のものの遠位末端まで伸長する、単一の連続ワイヤである、請求項７３に記載の医療機器。
【請求項７５】  前記回収アセンブリが、該回収アセンブリの他の位置を達成するように前記鞘に対して移動可能であり、該他の位置において、該回収アセンブリの少なくとも一部が、該鞘の遠位末端から伸長し、そして該鞘の管腔外で三次元形状を呈する、請求項７０に記載の医療機器。
【請求項７６】  前記細長部材が、前記ハンドルから前記回収アセンブリまで、前記管腔内を伸長している、請求項７０に記載の医療機器。
【請求項７７】  前記遠位部分が接合部によって前記近位部分に連結されている、請求項７０に記載の医療機器。
【請求項７８】  医療機器であって、
近位ハンドル；
鞘であって、該鞘は、該ハンドルから伸長しており、管腔を含み、そして該ハンドルから離れた遠位末端を含む、鞘；
回収アセンブリであって、該回収アセンブリは、該管腔内での該回収アセンブリの崩壊位置にするように、該鞘に対して移動可能であり、該回収アセンブリは、複数のレッグを有する遠位部分を含み、単一の連続ワイヤが、該複数のレッグのうちの１つの遠位末端から該複数のレッグのうちの他のものの遠位末端へと伸長しており、該複数のレッグの各々は、該単一の連続ワイヤの剛性とは異なる剛性を有し、接合部が、該ワイヤを該複数のレッグのうちの１つの遠位末端に連結しており、そして該回収アセンブリの遠位部分は、ポケットを形成し、そして該回収アセンブリの遠位末端に位置する頂点を備える、回収アセンブリ；ならびに
細長部材であって、該細長部材の少なくとも一部分が、一緒に編組されたレッグの伸長部から形成されている、細長部材、
を備える、医療機器。
【請求項７９】  前記接合部が、ループを含む、請求項７８に記載の医療機器。
【請求項８０】  前記接合部が、フックを含む、請求項７８に記載の医療機器。
【請求項８１】  前記接合部が、クリンプを含む、請求項７８に記載の医療機器。
【請求項８２】  前記複数のレッグの各々が剛性材料を含有し、そして前記単一の連続ワイヤが可撓性材料を含有する、請求項７８に記載の医療機器。
【請求項８３】  前記複数のレッグの各々が第一材料から作製されており、そして前記単一の連続ワイヤが、該第一材料とは異なる第二材料から作製されている、請求項７８に記載の医療機器。
【請求項８４】  前記細長部材の近位方向への軸方向の動きが、前記回収アセンブリの遠位部分を崩壊させる、請求項５６に記載の医療機器。
【請求項８５】  前記鞘を遠位方向に動かすことにより、前記回収アセンブリが前記管腔に入る際に該回収アセンブリが崩壊する、請求項５６に記載の医療機器。
【請求項８６】  前記近位部分の複数のストランドが、互いに対して実質的に平行に伸長している、請求項５６に記載の医療機器。
【請求項８７】  前記近位部分の複数のストランドが捻られている、請求項５６に記載の医療機器。
【請求項８８】  前記少なくとも１つのワイヤが、互いに対して隣接して配置されている第一のワイヤおよび第二のワイヤを備える、請求項５６に記載の医療機器。
【請求項８９】  前記第一のワイヤの遠位末端が、前記第二のワイヤによって形成されたループを通過しない、請求項８８に記載の医療機器。
【請求項９０】  前記第一のワイヤの遠位末端が前記第二のワイヤと連動しない、請求項８８に記載の医療機器。
【請求項９１】  医療機器であって、
近位ハンドル；
鞘であって、該鞘は、該ハンドルから伸長しており、管腔を含み、そして該ハンドルから離れた遠位末端を含む、鞘；ならびに
回収アセンブリであって、該回収アセンブリは、該管腔内での該回収アセンブリの崩壊位置にするように、該鞘に対して移動可能であり、該回収アセンブリは、複数のストランドを備える近位部分、および少なくとも１つの単一の連続ワイヤを備える遠位部分を含み、該単一の連続ワイヤは、該１つのストランドの遠位末端から該他のストランドの遠位末端へと伸長しており、該複数のストランドの近位部分は、一緒に捻られており、そして該回収アセンブリの遠位部分は、ポケットを形成し、そして該回収アセンブリの遠位末端に位置する頂点を備える、回収アセンブリ、
を備える、医療機器。
【請求項９２】  医療機器であって、
近位ハンドル；
鞘であって、該鞘は、該ハンドルから伸長しており、管腔を含み、そして該ハンドルから離れた遠位末端を含む、鞘；ならびに
回収アセンブリであって、該回収アセンブリは、該管腔内での該回収アセンブリの崩壊位置にするように、該鞘に対して移動可能であり、該回収アセンブリは、複数のストランドを備える近位部分、ならびに第一の単一の連続ワイヤおよび第二の単一の連続ワイヤを備える遠位部分を含み、該第一の連続ワイヤは、１つのストランドの遠位末端から他のストランドの遠位末端へと伸長しており、該第二の連続ワイヤは、１つのストランドの遠位末端から他のストランドの遠位末端へと伸長しており、該第一のワイヤの遠位末端は、該第二のワイヤによって形成されるループを通過しない、回収アセンブリ、
を備える、医療機器。
【請求項９３】  医療機器であって、
近位ハンドル；
鞘であって、該鞘は、該ハンドルから伸長しており、管腔を含み、そして該ハンドルから離れた遠位末端を含む、鞘；ならびに
回収アセンブリであって、該回収アセンブリは、該管腔内での該回収アセンブリの崩壊位置にするように、該鞘に対して移動可能であり、該回収アセンブリは、
複数のストランドを備える近位部分であって、該複数のストランドの各々は、遠位部分および近位部分を備え、そして該複数のストランドの近位部分は、一緒に編組されている、近位部分、ならびに
少なくとも２つの別々の単一の連続ワイヤを備える遠位部分であって、該単一の連続ワイヤの各々は、１つのストランドの遠位末端から他のストランドの遠位末端へと伸長しており、該少なくとも２つの別々の単一の連続ワイヤの遠位末端のいずれも、該少なくとも２つの別々の単一の連続ワイヤの他のものによって形成されるループを通過しない、遠位部分、
を備える回収アセンブリ、
を備える、医療機器。